(57)【要約】【課題】改良されたレーザを提供すること。【解決手段】第１のレーザ・ビームおよび少なくとも１つの第２のレーザ・ビームのために共振器の少なくとも一部を利用する方法に関する。そして、本方法は、共振器の前記一部に第１のレーザ・ビームを供給するステップと、第１のレーザ・ビームを第１の部分と第２の部分とに分割するステップと、第１の部分を第３の部分と第４の部分とに分割するステップと、第２の部分を第５の部分と第６の部分とに分割するステップと、打ち消し干渉させるように第３の部分と第５の部分を重ね合わせるステップと、累積干渉させるように第４の部分と第６の部分を重ね合わせて、第１の結果のビームが得られるようにするステップと、少なくとも１つの第２のレーザ・ビームについて上述のステップを行い、第２の結果のビームが得られるようにするステップと、を含む。
2005518666.tif 000002
【特許請求の範囲】
【請求項１】
第１のレーザ・ビームおよび少なくとも１つの第２のレーザ・ビームのために共振器の少なくとも一部を利用する方法であって、
ａ）前記共振器の前記一部に第１のレーザ・ビームを供給するステップと、
ｂ）前記第１のレーザ・ビームを第１の部分と第２の部分とに分割するステップと、
ｃ）前記第１の部分を第３の部分と第４の部分とに分割するステップと、
ｄ）前記第２の部分を第５の部分と第６の部分とに分割するステップと、
ｅ）打ち消し干渉させるように前記第３の部分と第５の部分を重ね合わせるステップと、
ｆ）累積干渉させるように前記第４の部分と第６の部分を重ね合わせて、第１の結果のビームが得られるようにするステップと、
ｇ）少なくとも１つの第２のレーザ・ビームについてステップａ）〜ｆ）を行い、第２の結果のビームが得られるようにするステップと、
を含む方法。
【請求項２】
第１の部分のそれぞれを第２の部分のそれぞれと同じ光路に進行させるが、第１の部分のそれぞれを第２の部分のそれぞれとは逆方向に進行させるステップをさらに有する、請求項１に記載の方法。
【請求項３】
同じ場所でレーザ・ビーム(4,28)のそれぞれが、ステップａ）〜ｆ）を行うステップをさらに有する、請求項１または２のいずれかに記載の方法。
【請求項４】
同じ場所で両方のレーザ・ビーム(4,28)が、ステップａ）を行うステップをさらに有する、請求項１乃至３のいずれかに記載の方法。
【請求項５】
前記第１の部分および／または前記第２の部分に少なくとも１度フィルタリングを行って、前記レーザ・ビームの少なくとも１つのモードを選択するステップをさらに有する、請求項１乃至４のいずれかに記載の方法。
【請求項６】
前記第１の部分および／または前記第２の部分に２度フィルタリングを行って、前記レーザ・ビームの少なくとも１つのモードを選択するステップをさらに有する、請求項４に記載の方法。
【請求項７】
少なくとも２つのレーザ・ビームのために、閉ループを構成するレーザ・ビームの光路を備える、共振器の少なくとも一部を利用する方法であって、
前記閉ループの構成要素であるビーム・スプリッタを導入するステップと、
前記ビーム・スプリッタの異なる側から前記ビーム・スプリッタに前記少なくとも２つのレーザ・ビームを供給するステップと、
を含む方法。
【請求項８】
前記ビーム・スプリッタがレーザ・ビーム(4,28)のそれぞれを第１の部分と第２の部分に分割し、さらに、
前記第１のレーザ・ビームの部分が前記閉ループを逆方向に進行するようにするステップと、
前記第２のレーザ・ビームの部分が前記閉ループを逆方向に進行するようにするステップと、
を含む請求項７に記載の方法。
【請求項９】
ビーム・スプリッタを利用する方法であって、
ａ）第１の方向に沿ってレーザ・ビームを供給するステップと、
ｂ）前記レーザ・ビームを分割して、前記ビーム・スプリッタから第２の方向に沿って出射する第１の部分と、前記ビーム・スプリッタから第３の方向に沿って出射する第２の部分にするステップと、
ｃ）前記第１の部分を誘導して、前記ビーム・スプリッタに戻し、前記第３の方向の逆方向に沿って前記ビーム・スプリッタに達するようにし、前記第２の部分を誘導して、前記ビーム・スプリッタに戻し、前記第２の方向の逆方向に沿って前記ビーム・スプリッタに達するようにするステップと、
ｄ）前記第２の方向の逆方向に沿って、打ち消し干渉させるように、両方の部分を重ね合わせ、前記第１の方向の逆方向に沿って、正の干渉を生じさせるステップと、
を含む方法。
【請求項１０】
第１のレーザ・ビームと少なくとも１つの第２のレーザ・ビームのために、共振器の少なくとも一部を利用するための装置であって、
ａ）ビーム・スプリッタに供給される第１のレーザ・ビームを第１の部分と第２の部分に分割し、
ｂ）前記第１の部分を第３の部分と第４の部分とに分割し、
ｃ）前記第２の部分を第５の部分と第６の部分とに分割し、
ｄ）打ち消し干渉させるように、前記第３の部分と第５の部分を重ねあわせ、
ｅ）累積干渉させるように、前記第４の部分と第６の部分を重ね合わせて、第１の結果のビームが得られるようにし、
前記ビーム・スプリッタに供給される少なくとも１つの第２のレーザ・ビームについてステップａ）〜ｅ）を行って第２の結果のビームを得られるようにするための、共振器の一部の構成要素である前記ビーム・スプリッタが含まれている、前記装置。
【請求項１１】
前記ビーム・スプリッタと共に閉ループを構成し、第１の部分のそれぞれが第２の部分のそれぞれと同じ光路であるが、逆方向に進行するようにするための、前記共振器の前記一部の構成要素としての少なくとも３つのミラーをさらに備える、請求項１０に記載の装置。
【請求項１２】
少なくとも１度、前記第１の部分および／または前記第２の部分にフィルタリングを施してレーザ・ビームの少なくとも１つのモードを選択するフィルタをさらに含む、請求項１０または１１のいずれかに記載の装置。
【請求項１３】
前記ループから低ＳＳＥレーザ光を外部に結合するための、前記共振器の前記一部の構成要素である第２のビーム・スプリッタをさらに備える、請求項１０乃至１２のいずれかに記載の装置。
【請求項１４】
ビーム・スプリッタを利用する装置であって、
第１の方向に沿ってレーザ・ビームを供給するためのレーザ源と、
前記レーザ・ビームを分割して、ビーム・スプリッタから第２の方向に沿って出射する第１の部分と、前記ビーム・スプリッタから第３の方向に沿って出射する第２の部分にするための前記ビーム・スプリッタと、
前記第１の部分を誘導して、前記ビーム・スプリッタに戻し、前記第３の方向の逆方向に沿って前記ビーム・スプリッタに達するようにし、前記第２の部分を誘導して、前記ビーム・スプリッタに戻し、前記第２の方向の逆方向に沿って前記ビーム・スプリッタに達するようにするためのレーザ・ガイドと、
を含み、前記ビーム・スプリッタが、前記第２の方向の逆方向に沿って、打ち消し干渉させるように両方の部分を重ね合わせ、前記第１の方向の逆方向に沿って、正の干渉を生じさせる、前記ビーム・スプリッタを利用する装置。
【請求項１５】
光学構成であって、
第１の方向から第１の入射ビームを受光し、前記第１の方向とは異なる第２の方向から第２の入射ビームを受光するようになっているビーム・スプリッタと、
２つのプレート(110A,110B)が互いに平行に配置され、第３のプレート(110C)が前記２つの平行プレートに対し垂直に配置されている、３つのプレートと、を備え、
前記ビーム・スプリッタが、前記第１の入射ビームを２つの部分ビームに分割するようになっており、部分ビームのそれぞれが、前記３つのプレートのそれぞれによって少なくとも部分的に反射され、部分ビームが、両方とも、同じ光路であるが逆方向に進行し、前記第１の入射ビームと平行であるが、逆方向に伝搬する第１の出射ビームと干渉によって強め合い、
前記ビーム・スプリッタが、前記第２の入射ビームを２つの部分ビームに分割するようになっており、部分ビームのそれぞれが、前記３つのプレートのそれぞれによって少なくとも部分的に反射され、部分ビームが、両方とも同じ光路であるが、逆方向に進行し、前記第２の入射ビームと平行であるが、逆方向に伝搬する第２の出射ビームと干渉によって強め合う、前記光学構成。
【請求項１６】
前記ビーム・スプリッタの分割比が、前記第１の出射ビームまたは第２の出射ビーム以外の出射ビームが、弱め合う干渉によって相殺されるように調整される、請求項１５に記載の光学構成。
【請求項１７】
前記ビーム・スプリッタの分割比が、入射ビームのそれぞれが等しい部分ビームに分割されるように、５０：５０に調整される、請求項１５または１６のいずれかに記載の光学構成。
【請求項１８】
前記２つの平行プレートの一方が、前記ビーム・スプリッタに到達する前に、前記第２の入射ビームを反射し、前記ビーム・スプリッタの通過後に、前記第２の出射ビームを反射するように設けられているので、前記２つの入射ビームが、前記光学装置に平行に到達し、前記２つの出射ビームが前記光学装置から平行に出射する、請求項１５乃至１７のいずれかに記載の光学装置。
【請求項１９】
レーザ構成であって、
第１のレーザ・ビームに波長フィルタリングを行う波長フィルタに対して、前記第１のレーザ・ビームを放射し、請求項１５乃至１８のいずれか１つに記載の光学構成に前記波長フィルタリングを施された第１のレーザ・ビームを送るようになっており、前記波長フィルタリングを施された第１のレーザ・ビームが、前記光学装置によってその第１の入射ビームとして受光され、その第１の出射ビームとして前記波長フィルタに向かって再帰反射されるようにする、第１のレーザ装置と、
第２のレーザ・ビームに波長フィルタリングを施す波長フィルタに対して、前記第２のレーザ・ビームを放射し、光学装置に前記波長フィルタリングを施された第２のレーザ・ビームを送るようになっており、前記波長フィルタリングを施された第２のレーザ・ビームが、前記光学装置によってその第２の入射ビームとして受光され、その第２の出射ビームとして前記波長フィルタに向かって再帰反射されるようにする、第２のレーザ装置と、
を備えるレーザ構成。
【発明の詳細な説明】
【技術分野】
【０００１】
本発明は、レーザキャビティ（cavity；共振器）に関するものである。
【背景技術】
【０００２】
レーザ源、すなわち、レーザ・ダイオードによって共振させられるこうした光共振器は、レーザ増幅メディアによって放射される１つ以上の波長を選択することが可能である。既知の共振器は、多くの場合２つのミラーを含み、一方は、共振器端部素子を構成し、もう一方は、レーザを同調させる同調素子を構成する。シングルモードのレーザが得られるようにするため、共振器には、さらに、ある特定の波長を選択するための、例えば、回折格子のような波長フィルタを含むことが可能である。こうしたフィルタを含む共振器は、例えば、米国特許第５，５９４，７４４号明細書または米国特許第６，２５２，７１８号明細書に開示のリトローまたはリットマンの構成に従って構成することが可能である。
【発明の開示】
【発明が解決しようとする課題】
【０００３】
従って、本発明の目的は、改良されたレーザを提供することにある。
【課題を解決するための手段】
【０００４】
この目的は、独立請求項によって解決される。他の望ましい実施態様は、従属請求項に示されている。
【０００５】
本発明の利点は、１つの共振器だけを利用して、２つ以上のレーザ・ビームを増幅するか、または、２つ以上のレーザ・ビームによって駆動されることが可能であるという点にある。従って、２つ以上のレーザのために、コストのかかる投資になる共振器を経済的なやり方で利用することが可能になる。
【０００６】
本発明の望ましい実施態様の場合、共振器の一部に２つのレーザ・ビームが供給され、そのそれぞれのレーザ・ビームの少なくとも一部が、共振器の一部内において閉ループを進行させられる。さらに、少なくとも一方のレーザ・ビームを第１と第２の部分に分割して、少なくとも一方のレーザ・ビームの各部分に、共振器の一部内における閉ループ、できれば、共振器の一部内における同じ閉ループを進行させることが望ましい。さらにいっそう望ましいのは、少なくとも一方のレーザ・ビームの各部分に、同じループを進行させる、それも、できれば、同じループを逆方向に進行させることである。
【０００７】
本発明の他の目的および付随する利点の多くについては、添付の図面と関連づけて考察すれば、下記の詳細な説明を参照することによって容易に明らかになり、より深い理解が得られるであろう。図面中の構成要素は、必ずしも一定の比率でなく、それどころか、本発明の原理を明確に例示する場合には、強調されている。ほぼ等しいか、または、機能的に似ている特徴は、同じ参照記号で参照されることになる。
【発明を実施するための最良の形態】
【０００８】
次に図面をさらに詳細に参照すると、図１には、本発明の望ましい実施態様１の概略が例示されている。実施態様１には、第１のレーザ・ビーム４を放出して、外部共振器６に送り込む第１のレーザ・ダイオード２が含まれている。コリメータ８は、レーザ・ビーム４を視準して、約５０：５０のビーム・スプリッタ１０に送り込む。レーザ・ダイオード２は、端部ファセット３においてほとんど反射が生じないように処理される。レーザ・ダイオード２の反射防止ファセット３とは反対の側５において、レーザ・ダイオード２は、コリメータ７を介して、共振器６における共振によって増幅されるレーザ・ビーム９を放出する。
【０００９】
ビーム・スプリッタ１０は、共振器６の一部１２の構成要素である。この部分１２には、さらに、３つのミラー１４、１６、および、１８が含まれている。ミラー１４、１６、および、１８と共に、ビーム・スプリッタ１０は、部分１２における閉ループ２０を構成する。ミラー１４、１６、および、１８のうちの２つ、ミラー１６および１８は、自己アライメントをとることが可能であり、あるいは、代わりに、図２の実施態様１００に示すような二面体１０１を構成することも可能である。
【００１０】
部分１２には、さらに、閉ループ２０の光路内に、ある特定の波長を選択するための２つのフィルタ２２、２４を備えるのが望ましい。あるいはまた、２つのフィルタ２２、２４の代わりに、光路内に１つのフィルタだけを用いることもできる（図には示されていない）。
【００１１】
フィルタ２２、２４は、例えば、図２の実施態様１００に示す回折格子１０２とすることができ、共振器６は、図２の実施態様１００に示すリットマン構成に従って構成することが可能である。リットマン構成のさらなる詳細については、その開示が参考までに本明細書において援用されている、出願人の欧州特許出願公開第０１１２  １４０号明細書、欧州特許出願公開第０１  １１３  ３７１．７号明細書、および、欧州特許出願公開第０１  １１３  ３７２．５号明細書を参照されたい。しかし、フィルタ２２、２４は、閉ループに結合される他の任意のフィルタリング装置とすることもできる。
【００１２】
さらに、実施態様１には、外部共振器３０に第２のレーザ・ビーム２８を供給する第２のレーザ・ダイオード２６が含まれている。部分１２は、共振器３０の一部でもある。従って、部分１２に関する上記説明は、ここでも当てはまる。
【００１３】
コリメータ３２は、レーザ・ビーム２８を視準して、ビーム・スプリッタ１０に送り込む。レーザ・ダイオード２６は、端部ファセット３４においてほとんど反射が生じないように処理されており、共振器３０の共振器端部構成要素としての働きをする。レーザ・ダイオード２６の反射防止ファセット３４の反対の側３６において、レーザ・ダイオード２６は、コリメータ３８を介して、共振器３０における共振によって増幅されるレーザ・ビーム４０を放出する。
【００１４】
利得メディア２および２６は、同じ波長スペクトルを備えることができるが、異なる波長領域をカバーすることもできる。図１の場合、利得メディア２には、ＣバンドおよびＬバンドが含まれており、利得メディア２６には、Ｓバンドが含まれている。
【００１５】
本発明の方法は、次のように進められる。
【００１６】
レーザ・ダイオード２によって生じるレーザ・ビーム４は、ビーム・スプリッタ１０によって第１の部分４２と第２の部分４４に分割される。第１の部分４２は、ループ２０を通り、ミラー１４、１６、および、１８によって反射されて、ビーム・スプリッタ１０に送り返される。次に、ビーム・スプリッタ１０は、第１の部分４２を第３と第４の部分に分割する。同時に、第２の部分４４が、ループ２０を逆方向に通り、ミラー１８、１６、および、１４によって反射されて、もう一方の側からビーム・スプリッタ１０に達することになる。次に、ビーム・スプリッタ１０は、第２の部分４４を第５と第６の部分に分割する。
【００１７】
ビーム・スプリッタ１０によって、第３と第５の部分が重ね合わせられ、打ち消すように干渉する。従って、ビーム・スプリッタ１０からレーザ・ダイオード２６の方向に出射する光はない。しかし、ビーム・スプリッタ１０によって、第４と第６の部分が重ね合わせられて、累積するように干渉される。従って、第１の結果ビーム４６は、ビーム・スプリッタ１０からレーザ・ダイオード２の方向に出射する。閉ループ２０に沿って進行する間に、部分４２および４４は、それぞれ、フィルタ２２および２４によって２回フィルタリングを施されて、レーザ・ビーム４６の所望の波長が選択される。従って、レーザ・ダイオード２は、側面５およびコリメータ７を介して、結果生じる増幅レーザ・ビーム９を放出する。
【００１８】
上述のところと同じことが、レーザ・ビーム２８についても進められる。レーザ・ビーム２８は、ビーム・スプリッタ１０によって第１の部分４８と第２の部分５０に分割される。部分４８および５０は、図１において、ただ単に例示のために、部分４２および４４と平行に描かれている。実際には、部分４８および５０は、それぞれ、部分４２および４４と同軸をなす。部分４８は、閉ループ２０を進行して、ミラー１４、１６、および、１８によって反射され、次に、ビーム・スプリッタ１０によって第３と第４の部分に分割される。部分５０は、閉ループ２０を逆方向に進行し、もう一方の側からビーム・スプリッタ１０に達し、ビーム・スプリッタ１０によって第５と第６の部分に分割される。ビーム・スプリッタ１０において、第３と第５の部分が、重ね合わせられて、打ち消すように干渉する。ビーム・スプリッタ１０において、第４と第６の部分が、重ね合わせられて、累積干渉し、第２の結果ビーム５２が生じることになる。やはり、フィルタ２２および２４によって、両方の部分４８および５０が、それぞれ、２回フィルタリングを施され、従って、ある特定の波長がレーザ・ビーム５２のために選択される。従って、レーザ・ダイオード２６は、側面３６およびコリメータ３８を介して、結果生じる増幅レーザ・ビーム４０を放出する。
【００１９】
図３には、本発明による装置のもう１つの実施態様２００が示されている。実施態様２００では、第２のビーム・スプリッタ２０２が、ループ２０に導入される。第２のビーム・スプリッタ２０２によって、レーザ・ビーム４から生じるレーザ光２０２およびレーザ・ビーム２８から生じるレーザ光２０６をループ２０から抽出することが可能になる。レーザ光２０４および２０６は、フィルタ２２および２４によってフィルタリングが施されているが、レーザ・ダイオード２および２６には再度入射していない。従って、レーザ光２０４および２０６に含まれる、ダイオード２および２６の光源自然放出（ＳＳＥ）は少ない、すなわち、ビーム２０４および２０６によって得られるのは低ＳＳＥレーザ光２０４、２０６であり、これを、さらに、光ファイバ２０８に送り出して、低ＳＳＥレーザ光を必要とする高分解能の光学測定の実施において利用することが可能である。
【００２０】
図４には、２つのレーザによって駆動される共振器４００の代替実施態様が示されている。共振器４００は、ビーム・スプリッタ４１０と３つのプレート１１０Ａ、１１０Ｂ、および、１１０Ｃによって構成される。プレート１１０Ａおよび１１０Ｂは、互いに平行に配置され、第３のプレート１１０Ｃは、２つの平行プレート１１０Ａおよび１１０Ｂに対して垂直に、できれば、平行プレート１１０Ａおよび１１０Ｂの側部に接するように配置される。ビーム・スプリッタ４１０は、ビーム・スプリッタ４１０を透過する一方の部分ビーム４２０Ａと、ビーム・スプリッタ４１０によって反射されるもう一方の部分ビーム４２０Ｂが、共振器４００内の同じ光路を（ただし、逆方向に）進行し、最終的には、第１の入射ビーム４２０がビーム・スプリッタ４１０に到達する、同じ位置４３０で合流するように、第１の入射ビーム４２０に対して配置されている。ビーム・スプリッタ４１０は、従って、平行プレート１１０Ａおよび１１０Ｂに対してほぼ平行に配置されている。
【００２１】
動作時、入射光ビーム４２０は、ビーム・スプリッタ４１０（分割比が５０：５０の）によって、部分ビーム４２０Ａおよび４２０Ｂに分割され、入射ビーム４２０の５０％が反射され、５０％が透過されることになる。透過部分ビーム４２０Ａは、第１の平行プレート１１０Ａ、垂直プレート１１０Ｃ、および、第２の平行プレート１１０Ｂによって反射され、最終的に、再び位置４３０に到達する。従って、透過部分ビーム４２０Ｂは、第２の部分プレート１１０Ｂ、垂直プレート１１０Ｃ、および、第１の平行プレート１１０Ａによって反射され、やはり、位置４３０に再び到達する。部分ビーム４２０Ａおよび４２０Ｂは、両方とも、ほぼ同じ光路を進行して、同じ位置４３０で合流したので、部分ビーム４１０Ａおよび４１０Ｂは、第１の出射ビーム４４０に強め合う干渉を施すことになり、一方、ビーム・スプリッタ４１０の左に出射する出射ビームは、弱め合う干渉によって相殺される。
【００２２】
ビーム・スプリッタ４１０のもう一方の側（左）から送り込まれる第２の入射光ビーム４５０は、然るべく処理されるが、その結果、第２の入射光ビーム４５０のかわりに、１つの出射ビーム４６０だけしか得られず、従って、出射ビーム４６０が、第２の入射光ビーム４５０と同じ光路であるが、逆伝搬方向に進行することになる。
【００２３】
いうまでもなく、共振器４００には、例えば、波長フィルタリング等のために追加素子を挿入することが可能である。
【００２４】
図５には、波長フィルタ５３０から第１および第２の入射光ビーム４２０および４５０を受光し、第１および第２の出射ビーム４４０および４６０を再帰反射して、波長フィルタ５３０に戻す再帰反射素子としての、図４の共振器４００の望ましい応用例が示されている。第２のビーム４５０および４６０は、さらに、図５に示されているように、第１の平行プレート１１０Ａにおいて第２のビーム４５０および４６０を両方とも反射することによって、第１のビーム４２０および４４０と平行にされる。そのため、第１の平行プレート１１０Ａは、第２の平行プレート１１０Ｂより長くするのが望ましい。図５の空間構成は、図２に例示の構成に基づくことが可能である。しかし、図５の空間構成は、特に、波長フィルタ５３０のタイプに従って（すなわち、波長フィルタ５３０が、その入射ビームに対してその出射ビームの角方向づけを行わない線形フィルタであるか、または、波長フィルタ５３０が、例えば、格子によって得られる、その出射ビームの角変位を施すフィルタであるかにかかわらず）線形（すなわち、完全に図面の平面内に含まれる）とすることも可能である。
【００２５】
動作時、第１のレーザ５００は、波長フィルタ５３０に対して第１のレーザ・ビーム５１０を放出する（放出ビーム５２０が既に十分に視準されていなければ、視準素子５２０によって視準するのが望ましい）。第１のレーザ・ビーム５１０は、次に、波長フィルタ５３０によって波長フィルタリングを施され、第１の入射ビーム４２０として再帰反射共振器４００に送られる。共振器４００から戻る第１の出射ビーム４４０は、再び波長フィルタリングを施され（波長フィルタ５３０が、両方向でフィルタリングを施すように設けられている場合）、第１のレーザ５００に向かって送り返される。出射ビームは、第１のレーザ５００から（例えば、図５に示すようにその後方ファセットから）、および／または、レーザ５００と再帰反射共振器４００の間に設けられた共振器内の任意の位置から、例えば、光路内における波長フィルタ５３０の前／後に配置するのが望ましいビーム・スプリッタ（図５には示されていない）によって送り出すことが可能である。
【００２６】
同じ説明が、やはり、波長フィルタ５３０によってフィルタリングを施され、共振器４００によって再帰反射される、第２のレーザ５６０によって生じる第２のレーザ・ビーム５５０についても相応に当てはまる。
【００２７】
２つのレーザ・ビームに関して、１つの波長フィルタ５３０ではなく、２つの波長フィルタを用いることが可能であるが、ほとんどの場合、１つのコンポーネントだけの較正というわけにはいかず、２つのコンポーネントの較正が必要になるという欠点がある。
【００２８】
プレート１１０Ａ、１１０Ｂ、または、１１０Ｃの（少なくとも）１つを半透明にすることによって、ビーム４２０および４５０の両方に共通の（または、換言すれば、レーザ５００および５６０の両方からの）出射ビーム（図５には示されていない）を得ることが可能であり、その結果、そのプレート１１０に達するビームの一部が透過され、従って、外部と結合させることが可能になる。再帰反射共振器４００が移動可能に設けられている（例えば、格子によって得られる波長フィルタ５３０により、波長で抽出されたビームに追従するため）場合、こうした共通の出射ビームは、再帰反射共振器４００対して固定して配置されているが、再帰反射共振器４００と共に移動することが可能なファイバに結合される。
【００２９】
図５の場合、それぞれの用途に応じて、視準素子５２０以外の視準素子を適宜設けることが可能である。視準素子の用途に関する典型的な例のいくつかは、図５に既に示されている（参照記号なしで）。
【００３０】
図５の２つのレーザは、明らかに、同時に動作する必要はない。実施態様の１つでは、２つのレーザは、異なる波長または波長帯域（すなわち、波長範囲）で動作するので、ある時間間隔にわたって、レーザの一方だけが動作するか、レーザの一方の出力だけが利用される。連続した時間間隔において波長または波長帯域を変更するため、次に、もう一方のレーザを使用可能にすることが可能である。いうまでもないが、波長フィルタ５３０（例えば、格子によって得られる）が、波長に従って角変位を施す場合、レーザ間におけるスイッチング（意図する出力を得るための）にも、やはり、波長フィルタ５３０に対する共振器４００の角度位置調整が必要になる。
【図面の簡単な説明】
【００３１】
【図１】本発明の望ましい実施態様を示す図である。
【図２】本発明の望ましい実施態様を示す図である。
【図３】本発明の望ましい実施態様を示す図である。
【図４】本発明の望ましい実施態様を示す図である。
【図５】本発明の望ましい実施態様を示す図である。
【図１】
2005518666.tif 000003
【図２】
2005518666.tif 000004
【図３】
2005518666.tif 000005
【図４】
2005518666.tif 000006
【図５】
2005518666.tif 000007
【国際調査報告】
2005518666.tif 000008
2005518666.tif 000009
2005518666.tif 000010